(57)【要約】【課題】  従来技術における小動物捕獲装置は、全開に拡開して待機してねずみの来るのを待つことになるため、粘着材を塗布した一対の挟持板の粘着面が表面にあるので、警戒心の強いねずみはなかなか捕獲できないという問題があった。【解決手段】  有害動物の通り道の上方に枠体３を吊設するか、支柱で支持して設け、この枠体３に捕獲網１を常時係留できるように電気的、または物理的に係留できる係留装置５を３ヶ所以上設け、前記係留装置５の係留位置に捕獲網１を錘兼用の捕獲網係留具２で捕獲網１を係留して待機し、有害動物の捕獲条件が整う捕獲可能範囲を感知範囲とするセンサ４を設け、感知範囲内に侵入してきた有害動物をセンサ４が検出するとセンサ４からの検出信号に基づいて電気的、または物理的に係留された前記係留装置５の係留を解除して、係留装置５に係留されている捕獲網１を落下させて有害動物を捕獲する有害動物捕獲装置。【選択図】図１
2009112247.tif 000002
【特許請求の範囲】
【請求項１】
有害動物の通り道の上方に枠体を吊設するか、支柱で支持して設け、この枠体に捕獲網を常時係留できるように電気的、または物理的に係留できる係留装置を３ヶ所以上設け、前記係留装置の係留位置に捕獲網を錘兼用の捕獲網係留具で捕獲網を係留して待機し、有害動物の捕獲条件が整う捕獲可能範囲を感知範囲とするセンサを設け、感知範囲内に侵入してきた有害動物をセンサが検出するとセンサからの検出信号に基づいて電気的、または物理的に係留された前記係留装置の係留を解除して、係留装置に係留されている捕獲網を落下させて有害動物を捕獲することを特徴とする有害動物捕獲装置。
【請求項２】
枠体の適宜位置に３ヶ所以上設けた係留装置の係留を電気的、または物理的に接続・解除できるようにし、有害動物をセンサで検出すると、その検出信号により電気的、または物理的係留を解除させ、捕獲網の外周囲に設けた錘兼用の捕獲網係留具の係留が解除されるので枠体に保持されていた捕獲網が枠体の形状を維持したまま落下し、捕獲網と捕獲網外周囲に設けた錘兼用の捕獲網係留具で有害動物を捕獲し、有害動物が暴れれば暴れるほど捕獲網によって絡め取ることができるようにしたことを特徴とする請求項１に記載の有害動物捕獲装置。
【発明の詳細な説明】
【技術分野】
【０００１】
本発明は、ネズミ等の有害動物の通り道や、その付近での捕獲条件の整った場所に本発明の装置を設置し、有害動物の通過をセンサ等で感知し、専用の絡め網を落下させて捕獲し、有害動物の捕獲後、容易に処分することができるようにした有害動物捕獲器に関するものである。
【背景技術】
【０００２】
従来、内面に粘着材を塗布した一対の挟持板を、閉じたとき相互に覆い被さり、全開したとき山形に拡開するように連結し、両挟持板の連結部の近辺にレバー板を一方の挟持板から起立する位置と一方の挟持板に倒伏する位置との間で回動可能に組み付け、かつ弾力部材を他方の挟持板と前記レバーとの間に張設し、山形に拡開した両挟持板のいずれか一方にねずみが乗ると、倒伏位置にあるレバー板が弾性部材の弾力で起立し、これに伴って両挟持板が互いに覆い被さってねずみを挟持するようにした粘着式ねずみ取り器（例えば、特許文献１参照）が存在している。
また、下面に脚部を有した底板部と、前記底板部に前記底板部と略直角に立設した立壁部と、前記底板部又は前記立壁部に回動自在に配設された押圧部と、前記押圧部と前記立壁部又は前記底板部間に配設された押圧補助部と、前記底板部の所定部に形成された開口部と、前記開口部にシーソー軸を支点に上下動自在でかつ前記底板部と略面一に配設された受圧部と、前記受圧部の前記立壁部側の端部に延設された係合部と、前記受圧部の端部側の前記押圧部及び／又は前記立壁部に形成され、少なくとも前記係合部が挿入され突出される挿入部と、前記押圧部の前記立壁部側に回動自在に配設され前記係合部に挿脱自在に係合される掛け具と、を有した押圧具を備えている小動物捕獲器（例えば、特許文献２参照）が存在している。
【特許文献１】特開２００２−３００８４１号公報（特許請求の範囲の欄、発明の詳細な説明の欄の｛発明の実施の形態｝の段落｛０００６｝〜｛００１３｝、及び図１、図２、図３を参照）
【特許文献２】特開２０００−３３３５８５号公報（特許請求の範囲の欄、発明の詳細な説明の欄の｛発明の実施の形態｝の段落｛００４２｝〜｛００４５｝、｛００４９｝〜｛００５３｝及び図１、図２、図６、図７を参照）
【発明の開示】
【発明が解決しようとする課題】
【０００３】
しかしながら、上記従来技術において、前者の特許文献１に示された粘着式ねずみ取り器は、「内面に粘着材を塗布した一対の挟持板を、閉じたとき相互に覆い被さり、全開したとき山形に拡開するように連結し、両挟持板の連結部の近辺にレバー板を一方の挟持板から起立する位置と一方の挟持板に倒伏する位置との間で回動可能に組み付け、かつ弾力部材を他方の挟持板と前記レバーとの間に張設し、山形に拡開した両挟持板のいずれか一方にねずみが乗ると、倒伏位置にあるレバー板が弾性部材の弾力で起立し、これに伴って両挟持板が互いに覆い被さってねずみを挟持するようにした粘着式ねずみ取り器」という構成のため、全開に拡開して待機してねずみの来るのを待つことになるため、粘着材を塗布した一対の挟持板の粘着面が表面にあるので、警戒心の強いねずみはなかなか捕獲できないという問題があった。
また、後者の特許文献２に示された小動物捕獲器は、移動部材より奥へねずみが入り込んで弾性薄膜体を踏むと、受圧部がシーソー軸を中心に傾き係合部が上方へ上がり、掛け部材の掛け止め孔部からフック状の係合部が外れて押圧部の保持が解除され、立壁部の底板部一辺側や底板部上面等の任意の場所に立設され、押圧補助部としては、押圧部と立壁部又は底板部間に配設されたねじりコイルばね等で押圧部を底板部側へ押し付け、小動物を捕獲箱に捕獲するものであり、構造が複雑で高価なものになり、そのまま捕獲箱と一緒に処分するので、捕獲箱をつぶすだけの強力な押圧力が必要であり、従来のスプリング力でねずみを挟みつけるものと何ら違うものではない。さらに、捕獲箱を取り付けたり、取り外したりと、煩雑な手間がかかるという問題があった。
また、知能程度の高い動物は警戒心が強く粘着式や、籠式、圧殺式のトラップではなかなか捕獲できないという問題があった。また、鳥類等を捕獲するかすみ網や殺傷能力の高いワニバサミでは動物愛護上の問題があった。また、本来野生の世界ではネズミ等の小型哺乳類では、天敵である猛禽類からの空中よりの攻撃に関し警戒心が強いとされていたが、クマネズミを用いた実験ではこのような上空に関する警戒はあまり強くないということが確認された。さらに、小動物でもネズミ等の月歯目に属する動物では歯で咬み切る力が強いため、網による捕獲は不可能であると考えがちで捕獲は困難であるとされていた。
また、クマネズミの場合の捕獲装置としての粘着シートはネズミの視界に十分入る。頭のいいクマネズミは通り道である場所に粘着シート（粘着板）があると口でくわえてどかすような行動や粘着部分のないシートの縁を歩いたりする行動をし、餌摂りに障害となるシートの存在を認識した行動に移る。例えば、粘着シートを簡単に動かせないように縁をできる限り重ねて敷き詰めた場合などは、そのような店舗には出てこないようになったりする。この際、粘着シートは捕獲がない場合は回収して、また次の機会に設置されるため、粘着シートを敷いていない期間中はその店舗に出没する。
また、箱形や金網式の捕獲箱タイプの捕獲器は、トラップとなる蓋の位置をネズミを熟知していてその部分には近寄らず、箱や金網の上には乗るようになる。特に、いつもネズミが店舗内に出没し餌の位置を窺うような場所であればあるほど、そのトラップの上には平気で昇ってじっとして様子を窺う傾向にある（捕獲箱にネズミの足跡が翌日残っていることが良くあることが確認されている。）。従って、ネズミの視界の中に変なものが置いてある状態であれば、ネズミの進行方向上に障害物がなく、通常の行動を取れることが大きな利点であると考えられる。
本発明は、これらの問題を解決したものである。
【課題を解決するための手段】
【０００４】
上記課題を解決するための本発明の第１発明は、請求項１に記載された通りの有害動物捕獲装置であり、次のようなものである。
有害動物の通り道の上方に枠体を吊設するか、支柱で支持して設け、この枠体に捕獲網を常時係留できるように電気的、または物理的に係留できる係留装置を３ヶ所以上設け、前記係留装置の係留位置に捕獲網を錘兼用の捕獲網係留具で捕獲網を係留して待機し、有害動物の捕獲条件が整う捕獲可能範囲を感知範囲とするセンサを設け、感知範囲内に侵入してきた有害動物をセンサが検出するとセンサからの検出信号に基づいて電気的、または物理的に係留された前記係留装置の係留を解除して、係留装置に係留されている捕獲網を落下させて有害動物を捕獲する構成である。
【０００５】
上記課題を解決するための本発明の第２発明は、請求項２に記載された通りの有害動物捕獲装置であり、次のようなものである。
請求項１に記載の発明に加えて、枠体の適宜位置に３ヶ所以上設けた係留装置の係留を電気的、または物理的に接続・解除できるようにし、有害動物をセンサで検出すると、その検出信号により電気的、または物理的係留を解除させ、捕獲網の外周囲に設けた錘兼用の捕獲網係留具の係留が解除されるので枠体に保持されていた捕獲網が枠体の形状を維持したまま落下し、捕獲網と捕獲網外周囲に設けた錘兼用の捕獲網係留具で有害動物を捕獲し、有害動物が暴れれば暴れるほど捕獲網によって絡め取る構成である。
【発明の効果】
【０００６】
本発明に係る有害動物捕獲装置は、上記説明のような構成であるので、以下に記載する効果を奏する。
（１）ねずみ等の有害動物がセンサ感知範囲内に置いた餌を食べようとしたり、センサ感知範囲内に有害動物が通ると、センサがそれを検出し、センサからの検出信号により電気的、または物理的に接続されている枠体に設けた係留装置の係留を解除することで該係留装置に係留されていた捕獲網に設けた錘兼用の捕獲網係留具の係留を解除することにより、瞬時に落下して捕獲網で有害動物を絡め取ることができ、有害動物を残酷な状態で捕獲することなく、生きた状態で捕獲することができるものである。
【発明を実施するための最良の形態】
【０００７】
有害動物の通り道の上方に枠体を吊設するか、支柱で支持して設け、この枠体に捕獲網を常時係留できるように電気的、または物理的に係留できる係留装置を３ヶ所以上設け、前記係留装置の係留位置に捕獲網を錘兼用の捕獲網係留具で捕獲網を係留して待機し、有害動物の捕獲条件が整う捕獲可能範囲を感知範囲とするセンサを設け、感知範囲内に侵入してきた有害動物をセンサが検出するとセンサからの検出信号に基づいて電気的、または物理的に係留された前記係留装置の係留を解除して、係留装置に係留されている捕獲網を落下させて有害動物を捕獲する有害動物捕獲装置である。
【実施例】
【０００８】
以下、本発明の一実施例を添付図面で詳細に説明する。
図１は、本発明の有害動物捕獲装置の一実施例を示す斜視図、図２は本発明の一実施例である捕獲網係留具を備えた捕獲網を示す平面図である。
有害動物の通り道や、その付近で捕獲条件の整った場所に本発明の有害動物捕獲装置を設け、有害動物の通過や餌を食べにきたのをセンサ、または餌の量が変わる等の物理的手段で感知すると、この検出信号により係留装置の係留を解除することで、枠体に設けた係留装置から捕獲網の外周囲に取り付けてある錘兼用の捕獲網係留具が捕獲網と一緒に自重で瞬時に落下して有害動物を絡め取る装置である。
そして、捕獲網は有害動物をなるべく広範囲で拡張した状態を保ちながら軽快に落下されるように捕獲網外周と捕獲網係留具の重量によってほぼ捕獲面と平行に落下させ、有害動物を網が覆うと捕獲網外周の形状維持枠は有害動物の力によって柔軟に曲がり絡まる網の動きを助け、捕獲網係留具の重量によって有害動物の足下に捕獲網を回り込ませ有害動物の四肢を網で拘束するように工夫された有害動物捕獲網である。
近年住宅部や都市部に出没する有害な動物は天敵や競合する動物の少ない領域に生活圏を拡大したため、上空への警戒心が薄れている傾向にある。そのため、このような生態を利用し警戒心の強い動物を着実に捕獲できる落下式絡め取り捕獲網を発明したものである。
また、動物が咬み切るという行動に関しても、実際に有害動物を捕獲してみると意外に捕獲網を咬み切られず確実に捕獲できることが実験でも実証できた。特に、月歯目のネズミでも捕獲実験では噛み合っている歯が門歯だけであることから、捕獲網の糸が門歯の部分を通過し噛み合っていない臼歯の部分にまで食い込んでしまい、さらに足爪等が網目に入り込んで、暴れれば暴れる程、網がネズミに絡まってしまうことから確実な捕獲が可能であることを見い出した。
【０００９】
ここで、本発明の有害動物捕獲器の特徴について説明する。
（１）センサ感知による網の落下、（２）捕獲するための網の形状保持、（３）捕獲網の絡まりを助長する捕獲網係留具、前記（１）（２）（３）のいずれの特徴も網による有害動物捕獲には向かない条件を解決し、網による捕獲は、例えばたも網のようなものであれば動物の四肢を拘束できるほどの編み目の大きさではなく掬い取る目的で使用するが、この捕獲網の編み目は動物の四肢が通過するほど大きく、また頭が通過するほど大きすぎないという点でも暴れる動物の動きを封じることが可能となったものである。また、この絡まるという網の使い方はかすみ網に類似しているが、動物の視界の外に捕獲装置を係留できることも特徴となる。
【００１０】
ここで、具体的な実施例について図１、図２に基づいて説明する。
捕獲網１は、例えば図示の通り捕獲網１の外周囲に磁力で吸着できる材料で形成した錘兼用の捕獲網係留具２を取り付け、その錘兼用の捕獲網係留具２の形状は単に捕獲網を拡げた状態で外周囲を掴むように板材等で折り曲げ挟持させたもの、あるいは直方体のような角材でもよく、捕獲網１を張った状態で枠体３に設けた係留装置５に捕獲網係留具２を介して作用させた磁力で支持されるものである。そして、この捕獲網１については、網全体の大きさや材質、堅さ、糸の太さ、網目の大きさは捕獲する対象動物によって様々な大きさのものを用いる。
最小の場合は、小型のネズミ等で、かすみ網よりも糸が丈夫で太いものを用い最低直径２０ｃｍ以上、または２０ｃｍ以上の方形の面積以上の大きさの網を用い、大型の有害動物では熊や鹿等も対象にできる。捕獲網１の四隅等の周りには対象動物に合わせた錘を均一に取り付けて捕獲網１を落下させたときに四肢が編み目に入り込み、暴れた際に網に絡まるものである。
小動物用には糸の太さや網の伸縮性の関係で開いた状態で落下するように網の縁に枠糸が必要になる。枠糸は弾力性に富み、それでいて網をある程度開いた状態で落下できるような素材（コーティングワイヤー等）で枠組みし、落下時は対象動物を完全に包めるようにしたものである。
【００１１】
次に、捕獲網１と錘兼用の捕獲網係留具２の落下を司る落下機構について説明する。
接近する有害動物を感知するセンサ４と係留装置５の係留を解除することにより捕獲網１を落下させるものである。前記錘兼用の捕獲網係留具２は磁力で吸着できるような材料から形成されたものであり、瞬時に捕獲網１を落下させるために錘を兼用するものであれば板材、角材等適宜選択できるものである。センサ４においては、対象の有害動物の大きさや知能程度によって電気的なセンサを用いたり、物理的に感知する機能を組み合わせたりして、係留装置５に連動させ捕獲網１を落下させて捕獲するものである。
【００１２】
また、本発明の有害動物捕獲装置の設置条件は、捕獲網１を設置するのは基本的に対象有害動物の通り道に設置するが、捕獲網１を広げて設置するスペースの無い場所や、起伏が激しく凹んだ部分から対象とする有害動物が逃げてしまうような場所は、通り道の付近で設置し、対象有害動物の好奇心を高める餌や、その他のもので誘引して捕獲するものである。
【００１３】
具体的な装置としては、有害動物の通り道の上方に枠体３を吊設したり、支柱で支持したりして設け、この枠体３に係留装置５により常時係留できるようにした捕獲網１の外周囲に錘兼用の捕獲網係留具２を３ヶ所以上設け、有害動物の捕獲条件が整う捕獲可能範囲を感知範囲とするセンサ４を設け、感知範囲内に侵入してきた有害動物をセンサ４が検出するとセンサ４からの検出信号に基づいて電気的に接続された前記係留装置５と捕獲網係留具２の係留を解除して、捕獲網１を落下させて有害動物を捕獲する有害動物捕獲装置。
また、前記枠体３の係留装置５に電磁吸着力で係留していた錘兼用の捕獲網係留具２の係留を解除すべく電磁力をＯＮ・ＯＦＦできるようにして有害動物をセンサ４で検出すると、その検出信号により電磁力をＯＦＦに作動させ、捕獲網１の外周囲に設けた錘兼用の捕獲網係留具２が係留装置５に磁力で吸着されていたのが磁力をＯＦＦにされるので枠体３の係留装置５から捕獲網係留具２と共に捕獲網１が瞬時に落下し、捕獲網１と捕獲網外周囲に設けた錘兼用の捕獲網係留具２で有害動物が捕獲される。その際、有害動物が暴れれば暴れるほど捕獲網１と捕獲網係留具２によって絡め取ることができるようにした上記有害動物捕獲装置である。前記、捕獲網１を広げた状態で静止待機させる機能を有し、センサ４（または物理的なトラップ）と落下機能は電気的に連動し、有害動物の接近を捕獲網１の捕獲範囲で落下できる機能がある。この捕獲網１を落下させる機能は、小動物であれば電気的なセンサ４を用いたり、大きな動物であれば物理的に落下させる閂のような機能でも落下連動できるものである。
【００１４】
また捕獲網１は、ネズミによって移動されないように一端部を紐等で連結して強固な適宜部位に固定する。
さらに、捕獲網１を多数枚重ねてセットし、係留装置に設けられたソレノイドの動きを捕獲網１一枚分だけ落下させるようにし、ネズミを捕獲した捕獲網１は他の場所に移動させてから処分するという作業を繰り返し行うことができるように設計することも可能である。
【産業上の利用可能性】
【００１５】
ネズミ等の警戒心の強い有害動物の捕獲に対応でき、その対象とする有害動物自体の大きさに合せた捕獲網の大きさ、網糸の太さを選択し、さらに錘の重さや捕獲網係留具の取り付け個数を増やす等して、各種有害動物を捕獲することに幅広く応用することができる。
【図面の簡単な説明】
【００１６】
【図１】本発明の有害動物捕獲装置の一実施例を示す斜視図である。
【図２】本発明の錘兼用の捕獲網係留具を備えた捕獲網の一実施例を示す平面図である。
【符号の説明】
【００１７】
１・・・・捕獲網                          ２・・・・錘兼用の捕獲網係留具
３・・・・枠体                            ４・・・・センサ
５・・・・係留装置
【図１】
2009112247.tif 000003
【図２】
2009112247.tif 000004